(57)【要約】【課題】住宅の耐震強度を増大させること。【解決手段】本発明では、住宅(2)を補強するための住宅補強具(1)において、基礎(4)に埋設したアンカー(11)と接続し、柱と平行に伸延させるとともに横架材(8)に挿通させた長尺ボルト(12)と、横架材(8)の上部に設置するとともに横架材(8)の上面に沿って伸延させた設置座金(18)と、設置座金(18)と長尺ボルト(12)とを接続するナット(22,23)と、ナット(22,23)と設置座金(18)との間に順に配設した板バネ(20)及び弾性座(21)とから構成することにした。また、前記設置座金(18)は、断面を凹字形状に形成するとともに、内側に板バネ(20)を収容することにした。さらに、前記板バネ(20)は、基部を設置座金(18)の内側幅と同様に形成するとともに、先端部を基部よりも細幅に形成することにした。【選択図】図３
2010168818.tif 000002
【特許請求の範囲】
【請求項１】
住宅を補強するための住宅補強具であって、
基礎に埋設したアンカーと接続し、柱と平行に伸延させるとともに横架材に挿通させた長尺ボルトと、横架材の上部に設置するとともに横架材の上面に沿って伸延させた設置座金と、設置座金と長尺ボルトとを接続するナットと、ナットと設置座金との間に順に配設した板バネ及び弾性座とから構成したことを特徴とする住宅補強具。
【請求項２】
前記設置座金は、断面を凹字形状に形成するとともに、内側に板バネを収容したことを特徴とする請求項１に記載の住宅補強具。
【請求項３】
前記板バネは、基部を設置座金の内側幅と同様に形成するとともに、先端部を基部よりも細幅に形成したことを特徴とする請求項２に記載の住宅補強具。
【発明の詳細な説明】
【技術分野】
【０００１】
本発明は、住宅を補強するための住宅補強具に関するものである。
【背景技術】
【０００２】
従来より、木造住宅は、宅地にコンクリート製の基礎を形成し、基礎の上部に木製の土台を取付け、土台の上部に木製の柱や横架材（梁）を建造し、土台と横架材との間に間柱や筋交などを取付けている。
【０００３】
この住宅の建設にあたっては、地震などの振動に耐えられるようにする必要があるために、柱と横架材との間に鎹やＶ字形金具や補強金具などの住宅補強具を取付けている（たとえば、特許文献１参照。）。
【先行技術文献】
【特許文献】
【０００４】
【特許文献１】特開２００２−２４２３０７号公報
【発明の概要】
【発明が解決しようとする課題】
【０００５】
ところが、上記従来の鎹やＶ字形金具や補強金具などの住宅補強具は、柱と横架材との接続部に取付けることで、柱と横架材との接続部での接続力を増大させるものであるため、住宅補強具に予め設定された耐力を超える振動が加わった場合には、柱と横架材との接続部が変形してしまい、しかも、元の正規の状態に復元させることができないものであった。
【０００６】
特に、木造住宅の場合には、柱や横架材として用いられる木材が本来有している湿度などに起因した経時的な変形によっても、柱と横架材との接続部が変形してしまうことがあり、その場合にも、上記従来の住宅補強具では、元の正規の状態に復元させることができなかった。
【課題を解決するための手段】
【０００７】
そこで、請求項１に係る本発明では、住宅を補強するための住宅補強具において、基礎に埋設したアンカーと接続し、柱と平行に伸延させるとともに横架材に挿通させた長尺ボルトと、横架材の上部に設置するとともに横架材の上面に沿って伸延させた設置座金と、設置座金と長尺ボルトとを接続するナットと、ナットと設置座金との間に順に配設した板バネ及び弾性座とから構成することにした。
【０００８】
また、請求項２に係る本発明では、前記請求項１に係る本発明において、前記設置座金は、断面を凹字形状に形成するとともに、内側に板バネを収容することにした。
【０００９】
また、請求項３に係る本発明では、前記請求項２に係る本発明において、前記板バネは、基部を設置座金の内側幅と同様に形成するとともに、先端部を基部よりも細幅に形成することにした。
【発明の効果】
【００１０】
そして、本発明では、以下に記載する効果を奏する。
【００１１】
すなわち、本発明では、住宅を補強するための住宅補強具において、基礎に埋設したアンカーと接続し、柱と平行に伸延させるとともに横架材に挿通させた長尺ボルトと、横架材の上部に設置するとともに横架材の上面に沿って伸延させた設置座金と、設置座金と長尺ボルトとを接続するナットと、ナットと設置座金との間に順に配設した板バネ及び弾性座とから構成することにしているために、基礎と横架材とを強固に連結することができるので、住宅の耐震強度を増大させることができるとともに、住宅に振動が加わって柱と横架材との接続部が変形しても、板バネと弾性座との復元作用によって、柱と横架材との接続部を元の正規の状態に復元させることができる。
【００１２】
特に、設置座金の断面を凹字形状に形成するとともに、内側に板バネを収容することにした場合には、設置座金の内側面で板バネの回動を阻止することができ、設置座金と板バネとのずれやナットの緩みの発生を防止することができる。
【００１３】
また、板バネの基部を設置座金の内側幅と同様に形成するとともに、先端部を基部よりも細幅に形成することにした場合には、板バネの基部での強度を増大させるとともに、板バネの先端部での撓み変形を容易なものとすることができる。
【図面の簡単な説明】
【００１４】
【図１】本発明に係る住宅補強具を示す正面図。
【図２】同部分拡大正面図。
【図３】同部分拡大正面断面図。
【図４】同部分拡大平面図。
【図５】同部分拡大側面断面図。
【発明を実施するための形態】
【００１５】
以下に、本発明に係る住宅補強具の具体的な構成について図面を参照しながら説明する。
【００１６】
図１に示すように、住宅補強具１は、木造の住宅２の耐震補強を主な目的として住宅２の壁内に装着される。ここで、住宅２は、地盤３にコンクリート製の基礎４を形成し、基礎４の上部に木製の土台５を取付け、土台５の上部に木製の通し柱６や管柱７などの柱を垂直に取付け、通し柱６の間に横架材８を水平に取付けるとともに、土台５と横架材８との間に間柱９や筋交10などを取付けている。
【００１７】
住宅補強具１は、図１〜図５に示すように、住宅２の基礎４の所定位置にアンカー11を埋設し、アンカー11に長尺ボルト12を取付け、横架材８の上部に載置した押圧体13を長尺ボルト12に螺着している。
【００１８】
長尺ボルト12は、基端部においてアンカー11に垂直に螺着するとともに土台５と座金ナット14で締結し、中途部において土台５と横架材８に形成した貫通孔15に挿通して通し柱６や管柱７などの柱と平行に伸延させている。この長尺ボルト12は、一本で構成してもよく、図１に示すように、複数本のボルト16をジョイント17で連結して構成してもよい。
【００１９】
押圧体13は、横架材８の上部に横架材８に沿って伸延させた金属製の設置座金18を設置し、設置座金18と長尺ボルト12とを座金19と金属製の板バネ20とゴム製の弾性座21とを介してダブルナットを構成する２個のナット22,23で締結している。
【００２０】
設置座金18は、横架材８の上面に沿って伸延し横架材８の上面を押圧する押圧片24の両端部に鉛直上方に向けて伸延する一対の側片25,25を形成して、断面を凹字形状に形成しており、一対の側片25,25の内側間に板バネ20を収容している。なお、設置座金18は、側片25の中央部分を一部切欠させて、板バネ20や弾性座21の状態を目視で確認できるようにしてもよい。
【００２１】
また、設置座金18は、押圧片24の中央部に水平断面円形の貫通状の挿通孔26を形成しており、挿通孔26に長尺ボルト12を挿通させている。
【００２２】
板バネ20は、中央部に水平断面円形の貫通状の挿通孔27を形成しており、挿通孔27に長尺ボルト12を挿通させている。
【００２３】
また、板バネ20は、長尺ボルト12を挿通させた挿通孔27を設けた矩形平板状の座体28を基部とし、その基部を設置座金18の側片25,25の内側幅と同様（略同一）の長さとした正方形状に形成するとともに、基部の両端側先端部に設置座金18（横架材８）と平行に伸延させた一対の撓み変形翼29,29を形成し、先端部となる撓み変形翼29,29の幅を基部よりも細幅に形成している。
【００２４】
そして、板バネ20は、長尺ボルト12に螺着したナット22,23を締め付けることによって、撓み変形翼29が撓んで変形し、撓み変形翼29で設置座金18の押圧片24を横架材８に押圧するようになっている。
【００２５】
弾性座21は、中央部に水平断面円形の貫通状の挿通孔30を形成しており、挿通孔30に長尺ボルト12を挿通させている。
【００２６】
この弾性座21は、設置座金18の押圧片24と板バネ20の座体28との間に介在し、設置座金18の押圧片24と板バネ20の座体28との間で上下方向に伸縮（弾性変形）するようになっている。
【００２７】
そして、弾性座21は、設置座金18の押圧片24と板バネ20の座体28との間に介在しているために、ナット22,23を締め付ける際に締め付ける量（締結力）を規制することになり、熟練者でなくても容易に締め付けることができ、また、板バネ20を撓んだ状態に保持することになり、板バネ20による復元力を維持することができる。
【００２８】
以上に説明したように、住宅２を補強するための住宅補強具１は、基礎４に埋設したアンカー11と接続し、柱と平行に伸延させるとともに横架材８に挿通させた長尺ボルト12と、横架材８の上部に設置するとともに横架材８の上面に沿って伸延させた設置座金18と、設置座金18と長尺ボルト12とを接続するナット22,23と、ナット22,23と設置座金18との間に順に配設した板バネ20及び弾性座21とから構成している。
【００２９】
そのため、上記構成の住宅補強具１では、基礎４と横架材８とを強固に連結することができるので、住宅２の耐震強度を増大させることができる。
【００３０】
しかも、上記構成の住宅補強具１では、住宅２に振動が加わって柱と横架材８との接続部が変形しても、板バネ20と弾性座21との復元作用によって、柱と横架材８との接続部を元の正規の状態に復元させることができる。
【００３１】
また、上記住宅補強具１では、設置座金18の断面を凹字形状に形成するとともに、内側に板バネ20を収容した構成としている。
【００３２】
そのため、上記構成の住宅補強具１では、設置座金18の内側面で板バネ20の回動を阻止することができ、設置座金18と板バネ20とのずれやナット22,23の緩みの発生を防止することができる。
【００３３】
また、上記住宅補強具１では、板バネ20の基部を設置座金18の内側幅と同様に形成するとともに、先端部を基部よりも細幅に形成した構成としている。
【００３４】
そのため、上記構成の住宅補強具１では、板バネ20の基部での強度を増大させるとともに、板バネ20の先端部での撓み変形を容易なものとすることができる。
【符号の説明】
【００３５】
１  住宅補強具                      ２  住宅
３  地盤                            ４  基礎
５  土台                            ６  通し柱
７  管柱                            ８  横架材
９  間柱                            10  筋交
11  アンカー                        12  長尺ボルト
13  押圧体                          14  座金ナット
15  貫通孔                          16  ボルト
17  ジョイント                      18  設置座金
19  座金                            20  板バネ
21  弾性座                          22,23  ナット
24  押圧片                          25  側片
26  挿通孔                          27  挿通孔
28  座体                            29  撓み変形翼
30  挿通孔
【図１】
2010168818.tif 000003
【図２】
2010168818.tif 000004
【図３】
2010168818.tif 000005
【図４】
2010168818.tif 000006
【図５】
2010168818.tif 000007